(57)【要約】【課題】異なるサンプリング周波数でデータを出力する複数のデータ接続装置から生理的データのようなデータを取得し、表示するシステムを提供する。【解決手段】このシステムは、データ信号を異なるサンプリング周波数で受信し、各信号の各サンプルを単一のマスタクロックから得られるタイムスタンプに関連付ける。低速度データ及び高速度データはそれぞれ別に処理される。低速度データは、高速度データとして現マスタクロックの現値に等しいタイムスタンプを与えることによってタイムスタンプされる場合、マスタクロックの現値と関連し、次のサンプルは、データ収集装置のサンプリング周波数から得られたサンプルと第１のサンプルに与えられた時間スケールとの間に予想間隔に基づいて推定タイムスタンプを与えられる。【選択図】図２
2004503317.tif 000002
【特許請求の範囲】
【請求項１】
各々が１つあるいはそれ以上のパラメータを監視し、かつそれぞれのシステムクロックに基づいてそれぞれのサンプリング周波数でデータ信号を出力する複数のデータ収集装置からデータを取得するシステムであって、
前記複数のデータ収集装置の各々から前記データ信号を受信する入力手段と、マスタクロック信号を供給するマスタクロックと、前記マスタクロックから導き出されたタイムスタンプを前記データ信号の各々に関連付けるタイムスタンプ手段と、を有するデータ処理手段を備えたことを特徴とするシステム。
【請求項２】
さらに、前記それぞれのタイムスタンプに基づいて時間軸に対して並べられたデータ信号の描写を表示するディスプレイを備えたことを特徴とする請求項１に記載のシステム。
【請求項３】
前記タイムスタンプは前記マスタクロックよりも高い分解能を有することを特徴とする請求項１または２に記載のシステム。
【請求項４】
サンプリング周波数が所定の閾値以下であるデータ信号に対して、前記タイムスタンプ手段が、前記タイムスタンプとして前記マスタクロック信号のサンプルを関連付け、かつサンプリング周波数が所定の閾値を越えるデータ信号に対して、前記タイムスタンプ手段が、前記データ信号のサンプルのための初期タイムスタンプとして前記マスタクロック信号のサンプルを関連付け、かつ前記データ信号の次のサンプルに対して推定タイムスタンプを関連付けることを特徴とする請求項１、２または３に記載のシステム。
【請求項５】
前記推定タイムスタンプは、前記データ信号および前記初期タイムスタンプを供給する前記データ収集装置のサンプリング周波数から計算される時間間隔に基づいていることを特徴とする請求項４に記載のシステム。
【請求項６】
前記所定の閾値は、前記マスタクロック周波数よりも小さいかまたは等しいことを特徴とする請求項４または５に記載のシステム。
【請求項７】
前記データ処理手段は比較器を備え、
前記比較器は、サンプリング周波数が所定の閾値以上である前記データ信号に対して、現サンプルと関連した推定タイムスタンプを前記マスタクロックと定期的に比較してこれらの差を決定し、
前記データ処理手段は、前記差が所定の量よりも大きい場合、前記マスタクロック信号に対応するように、前記推定タイムスタンプを修正することを特徴とする請求項４、５または６に記載のシステム。
【請求項８】
前記データ処理手段は、前記差が前記所定の量よりも大きい場合、前記現サンプルに先行する隣接セットのサンプルの前記タイムスタンプを調整することを特徴とする請求項７に記載のシステム。
【請求項９】
前記データ処理手段は、前記隣接セットのサンプルのタイムスタンプが前記現サンプルまでの時間において等間隔となるように前記現サンプルに先行する前記隣接セットのサンプルのタイムスタンプを前記差の等分数だけ調整することを特徴とする請求項８に記載のシステム。
【請求項１０】
隣接するセットのサンプルの数は、１秒に得られるサンプル数であることを特徴とする請求項８または９に記載のシステム。
【請求項１１】
前記データ処理手段は、前記差が所定の量よりも大きい場合、前記時間間隔の調整値に基づいて次のサンプルのための推定タイムスタンプを生成することを特徴とする請求項６〜１０のいずれか一つに記載のシステム。
【請求項１２】
前記データ処理手段は、前記時間間隔の調整値を計算するカルマンフィルタを備えたことを特徴とする請求項１１に記載のシステム。
【請求項１３】
前記データ処理手段は、前記所定の量に達するのにかかった時間に従って前記時間間隔の精度の値を計算する計算手段を備えたことを特徴とする請求項１１に記載のシステム。
【請求項１４】
システムクロックは、前記マスタクロックに対してフリーランニングであるデータ収集装置とともに作動可能であることを特徴とする請求項１〜１３のいずれか一つに記載のシステム。
【請求項１５】
さらに、前記データサンプルおよびタイムスタンプを記憶するデータ記憶装置を備えたことを特徴とする請求項１〜１４のいずれか一つに記載のシステム。
【請求項１６】
前記信号は、生理的信号であることを特徴とする請求項１〜１５のいずれか一つに記載のシステム。
【請求項１７】
前記入力手段は、心電図モニタ、酸素飽和モニタ、呼吸モニタ、血圧モニタ、体温計、頭蓋内圧モニタ、部分酸素圧モニタおよび部分二酸化炭素圧モニタのうちの少なくとも２つからの信号を受信するインタフェースを備えたことを特徴とする請求項１〜１６のいずれか一つに記載のシステム。
【請求項１８】
前記マスタクロック、前記タイムスタンプ手段および前記ディスプレイを組み込んでいるラップトップコンピュータを備えたことを特徴とする請求項２またはそれに従属する請求項に記載のシステム。
【請求項１９】
前記データ処理手段および前記ディスプレイは、前記データ信号の描写を２つの異なる時間スケールのうちの１つで選択的に表示するように構成されることを特徴とする請求項２またはそれに従属する請求項に記載のシステム。
【請求項２０】
前記２つの異なる時間スケールは、数秒〜数分の第１の時間スケールと１分〜数日の第２の時間スケールであることを特徴とする請求項１９に記載のシステム。
【請求項２１】
前記第１の時間スケールは、３０秒未満の時間軸が表示されるようなものであることを特徴とする請求項２０に記載のシステム。
【請求項２２】
前記第１の時間スケールは、１０秒未満の時間軸が表示されるようなものであることを特徴とする請求項２０に記載のシステム。
【請求項２３】
前記第１の時間スケールで前記データの描写を表示する際に、低サンプリング周波数でサンプルされたデータが数値として表示されることを特徴とする請求項２０、２１または２２に記載のシステム。
【請求項２４】
前記第２の時間スケールは、１時間を越える時間軸が表示されるようなものであることを特徴とする請求項２０、２１、２２または２３に記載のシステム。
【請求項２５】
前記第２の時間スケールは、５時間以上の時間軸が表示されるようなものであることを特徴とする請求項２０、２１、２２または２３に記載のシステム。
【請求項２６】
前記第２の時間スケールで前記データの描写を表示する際に、高サンプリング周波数でサンプルされたデータの１つのトレースが、前記第１の時間スケールで同時に表示されることを特徴とする請求項２０〜２５のいずれか一つに記載のシステム。
【請求項２７】
データの１つのトレースが心電図トレースであることを特徴とする請求項２６に記載のシステム。
【請求項２８】
前記データ信号の表示描写は、前記データ信号が受信される際に前記時間軸に対してスクロールされることを特徴とする請求項１〜２７のいずれか１つに記載のシステム。
【請求項２９】
データを複数のデータ収集装置から取得しかつ表示するシステムであって、
前記システムは、実質的に添付図面を参照して前述され、かつ図示されるように作動するように構成され、かつ配置されることを特徴とするシステム。
【請求項３０】
各々がパラメータを監視し、かつそれぞれのシステムクロックに基づいてそれぞれのサンプリング周波数でデータ信号を出力する複数のデータ収集装置からのデータ信号を同期させる方法であって、
マスタクロックから導き出されるタイムスタンプをデータ信号の各々に関連づけることを含むことを特徴とする方法。
【請求項３１】
前記タイムスタンプは、前記マスタクロックよりも高い分解能を有することを特徴とする請求項３０に記載の方法。
【請求項３２】
サンプリング周波数が所定の閾値未満である前記データ信号に対して、前記タイムスタンプとして前記マスタクロック信号のサンプルを関連付け、かつサンプリング周波数が所定の閾値を越える前記データ信号に対して、前記データ信号のサンプルのための初期タイムスタンプとして前記マスタクロック信号のサンプルを関連付け、かつ前記データ信号の次のサンプルに対して推定タイムスタンプを関連付けることを含むことを特徴とする請求項３０または３１に記載の方法。
【請求項３３】
前記推定タイムスタンプは、前記データ信号および前記初期タイムスタンプを供給する前記データ収集装置のサンプリング周波数から計算される時間間隔に基づいていることを特徴とする請求項３２記載の方法。
【請求項３４】
前記所定の閾値は、前記マスタクロック周波数よりも小さいかあるいは等しいことを特徴とする請求項３２または３３に記載の方法。
【請求項３５】
サンプリング周波数が所定の閾値を越える前記データ信号に対して、現サンプルと関連した前記推定タイムスタンプが、前記マスタクロックと定期的に比較され、これらの差を決定し、かつ前記差が所定の量よりも大きい場合、前記推定タイムスタンプが、前記マスタクロック信号に対応するように修正されることを特徴とする請求項３２、３３または３４記載の方法。
【請求項３６】
前記差が前記所定の量よりも大きい場合、前記現サンプルに先行する隣接セットのサンプルの前記タイムスタンプが調整されることを特徴とする請求項３５に記載の方法。
【請求項３７】
前記現サンプルに先行する前記隣接セットのサンプルのタイムスタンプは、それらタイムスタンプが前記現サンプルまでの時間において等間隔となるように前記差の等分数だけ調整されることを特徴とする請求項３６に記載の方法。
【請求項３８】
隣接するセットのサンプルの数は、１秒で得られるサンプル数であることを特徴とする請求項３６または３７に記載の方法。
【請求項３９】
前記差が所定の量よりも大きい場合、次のサンプルのための前記推定タイムスタンプは、前記時間間隔の調整値に基づいていることを特徴とする請求項３４〜３８のいずれか一つに記載の方法。
【請求項４０】
前記時間間隔の調整値を計算するカルマンフィルタリング方法を含む、請求項３９記載の方法。
【請求項４１】
前記時間間隔の精度の値が、前記所定の量に達するのにかかった時間に従って計算されることを特徴とする請求項３９に記載の方法。
【請求項４２】
前記信号は生理的信号であることを特徴とする請求項３０〜４１のいずれか一つに記載の方法。
【請求項４３】
前記信号は、心電図モニタ、酸素飽和モニタ、呼吸モニタ、血圧モニタ、体温計、頭蓋内圧モニタ、部分酸素圧モニタおよび部分二酸化炭素圧モニタのうちの少なくとも２つからの信号を含むことを特徴とする請求項３０〜４２のいずれか一つに記載の方法。
【発明の詳細な説明】
【０００１】
【発明の属する技術分野】
本発明は、各々が１つまたはそれ以上の異なるパラメータを監視する複数のデータ収集装置からのデータの取得、特にこのデータの同期に関するものである。
【０００２】
【従来の技術】
１つのシステムが複数のセンサによって監視される多数の異なる状況がある。しばしば、そのようなセンサは、異なるデータ収集装置の一部であり、システムの同じパラメータまたは異なるパラメータを監視する。この状況では、データ収集装置の各々は、監視するデータ信号のサンプリングを制御する自分自身のクロックを含んでもよい。これらのクロックは互いに対してフリーランニングであってもよい。よって、この装置からの出力信号は、同期されなくてもよく、広く異なる速度であってもよい。
【０００３】
例えば、患者の状態を監視する場合、（多数のチャネルであり得る）心電図、血圧、呼吸、パルスオキシメトリを使用する酸素飽和度や体温のような様々な生理学パラメータを監視するのが通常である。一般的には、これらは、異なるデータ収集装置によって得られ、全ては、異なるサンプリング速度で得られる。例えば、心電図（ＥＣＧ）は一般的には２５６Ｈｚで収集され、パルスオキシメトリ波形は一般的には８１．３Ｈｚで得られ、呼吸波形は６４Ｈｚで得られ、体温は１Ｈｚで得られ、血圧は１０分または２０分毎に１回得られる。
【０００４】
これら生命徴候のすべてが、臨床的に重要なものであり、医療職員が患者の状態を容易に監視できるように通常表示される。しかしながら、全ては、異なる速度で、一般的には異なる台数の装置によってそれら各装置のシステムクロックを用いて測定されるために、簡素で同期化された方法で異なるパラメータを一緒に表示することは困難である。
【０００５】
異なる信号を同期化させる問題を解決するために、同じクロック信号によって異なるモニタの全てを駆動するというある１つの解決策が提案された。
【０００６】
【発明が解決しようとする課題】
しかしながら、これは、モニタのすべてが本質的に高価で融通がきかない一体化された状態を要求し、さらにこれは既存の装置を冗長にする。ＥＣＧトレースのようなパラメータは、血圧（１０〜２０分毎測定されるだけである）のようなパラメータと比べて高速の時間スケールで変わるために、そのデータの表示も、困難を極める。よって、ＥＣＧトレースのサンプルのタイミングは、正確に記録される必要がある。しかしながら、血圧のサンプルのタイミングは、臨床的に重要な損失がなければ、低い精度のものであってもよい。
【０００７】
同様な問題は、化学処理プラントなどのプラント監視や制御、エンジンまたは乗物システムのような機械の監視や制御のような他のシステムでも生じる。
【０００８】
【課題を解決するための手段】
本発明によれば、各々がパラメータを監視し、それぞれのシステムクロックに基づいてそれぞれのサンプリング周波数でデータ信号を出力する複数のデータ収集装置からデータを取得するシステムであって、複数のデータ収集装置の各々からデータ信号を受信する入力手段と、マスタクロック信号を供給するマスタクロックと、マスタクロックから導き出されたタイムスタンプをデータ信号の各々に関連付けるタイムスタンプ手段とを有するデータ処理手段を備えたシステムを提供する。
【０００９】
したがって、本発明により、様々な異なるデータ収集装置からデータを収集できるが、そのデータサンプルは、マスタクロックと同期されるタイムスタンプを与えられる。このタイムスタンプは、マスタクロックよりも高い分解能を有する。このマスタクロックは、一定の間隔で新しい時間値を生成する。１秒以内のこのような間隔数はチックレートとして知られている。その時間軸上の分解能はチックレートの逆数である。
【００１０】
好ましくは、サンプルに関連する時間スタンプは、データ信号のサンプリング周波数に応じて異なる方法で計算される。サンプリング周波数が所定の閾値未満であるデータ信号（例えば生理的な環境における血圧や体温）に対して、データの各サンプルは、タイムスタンプ（単純に、データにタイムスタンプが与えられた時間でのマスタクロック信号の値である）に関連している。
【００１１】
しかしながら、サンプリング周波数が所定の閾値を越えるデータ信号（例えば、生理的な環境における心電図、パルスオキシメトリ波形、呼吸波形など）に対して、データ信号の第１のサンプル（または第１のバッチの適切なサンプル）は、タイムスタンプ時間でのマスタクロック信号の値に関連しているが、次のサンプルには推定されたタイムスタンプが与えられる。
【００１２】
これは、その信号（データ収集装置の公知の仕様に基づいている）を供給するデータ収集装置のサンプリング周波数から計算された時間間隔に基づいてもよい。好ましくは、その推定は、現在のマスタクロックの値と定期的に比較され、これらの差が受け入れられるかどうか、または所定の量よりも大きいかどうかを決定する。所定の量よりも大きい場合、タイムスタンプが修正される。さらに、現サンプルに先行する隣接セットのサンプルのタイムスタンプは、例えばそれらタイムスタンプが現サンプルまでの時間において等間隔となるように調整されることで調整される。それ以下の修正が不要とみなされる所定の差は、マスタクロックの分解能の倍数（例えば５〜５０）であってもよい。また、サンプリング周波数の所定の閾値は、マスタクロック周波数よりも小さくてもよいしまたはマスタクロック周波数に等しくてもよく、好ましくはマスタクロック周波数の１／５よりも小さい。
【００１３】
現サンプルに先行するサンプルのセットのタイムスタンプを調整するのと同様に、タイムスタンプが将来のサンプルに対して推定される方法は、計算で使用されるサンプリング間隔の値を調整することによって調整できる。したがって、この値を修正することによって、推定タイムスタンプがマスタクロックの値からはずれない（または非常に速くはずれない）ことが希望される。この調整は、サンプリング間隔の精度に対する値におけるカルマンフィルタを使用して行うことができる。ここで、そのサンプリング間隔の精度に対する値は、推定タイムスタンプがマスタクロックからかなりはずれるのにかかる時間に従って設定される。
【００１４】
（患者のような）生理的なシステムを監視する際に使用するための１つの実施の形態では、このシステムは、ＥＣＧモニタ、酸素飽和モニタ、呼吸モニタ、血圧モニタおよび体温計、またはさらに言えば生理的なデータを取得のために使用されるいかなる他のトランスデューサまたはモニタからの信号も受信し、表示するのに適している。
【００１５】
好ましくは、このシステムは、マスタクロック、タイムスタンプ手段およびディスプレイを組み込んだデータ処理装置の周辺に配置され、損傷の危険がなく容易に携帯できるように衝撃に耐えるように作られてもよい。表示の明快さを改善するために、データは、「Ｂｅａｔ　ｔｏ　Ｂｅａｔ」時間スケールや「トレンド」時間スケールなどの短期間の連続した時間スケールとして参照される２つの異なった時間スケールの一つを選択的に表示されてもよい。ここで、「Ｂｅａｔ　ｔｏ　Ｂｅａｔ」時間スケールは、生理的環境において、時間軸が短期間のデータ、例えば数秒のデータ（一般的には１〜６０秒）を詳細に示すような場合に用いられ、「トレンド」時間スケールは、時間軸が、より長いセクションのデータ、例えば数時間のデータ（一般的にはこれは１分から１日まで行ってもよい）を示すような場合に用いられる。
【００１６】
表示されるパラメータおよびその表示の方法は、２種類の表示間で変えられてもよい。例えば、最初の時間スケールでデータを表示する際に、低いサンプリング周波数でサンプルされるデータは、連続したトレース（その非常に低いサンプリング周波数を与えられたこの時間スケールで殆ど意味がない）よりもむしろ数値として表示できる。一方、「トレンド」時間スケールにおいて、たとえデータの残りが長い時間スケールにわたって観察されるとしても、トレースの連続的な視認を維持することができるように単一高周波トレースをより短い時間スケールで表示することはなお有用であり得る。
【００１７】
好ましくは、生理的環境において心拍数、血圧、酸素飽和および体温のようなシステムのための重要な値は、両方の表示モードのトレースと並んで数値として常に表示される。
【００１８】
表示の更なる改善として、信号の表示、すなわちトレースは、データ信号が受信される際に時間軸に対してスクロールされてもよい。これは、表示されるトレースを繰り返してリフレッシュする信号を表示する場合に通常のやり方と対照的である。
【００１９】
本発明は、データ信号を同期化する対応方法を提供する。また、本発明は、その方法を実行するプログラムコード手段を含んだコンピュータプログラムとして実現されてもよい。したがって、本発明は、そのようなプログラムを実行するコンピュータ読み取り可能な記憶媒体にまで及ぶ。
【００２０】
【発明の実施の形態】
本発明は、添付図面を参照して非限定的な例によってさらに説明される。本発明の実施の形態は、生理的パラメータの監視に適用されて説明される。但し、本発明は独立のクロックで実行する装置によって監視される任意のシステムに適用することができる。典型的な例としては、乗物、製造プラントまたは処理プラント、例えば環境のための制御システムまたは監視システムを含む。
【００２１】
図１を参照すると、本発明の図示された実施の形態は、データ入力装置としてのディスプレイ（１）、キーボード（３）およびタッチパッド（５）を含み、生理的データが取得されるべき部分から、様々な種類のデータ収集装置を接続できるコネクタ（７）を含む、高耐久性ラップトップコンピュータに基づいている。
【００２２】
本発明のこの実施の形態は、心電図、血圧モニタ、呼吸モニタ、酸素飽和モニタおよび体温計のような装置から信号を受信するのに適しており、上述から理解されるように、一般的にはこれらの信号の全ては、これらの装置によって異なるサンプリング速度で取得される。
【００２３】
本発明のこの実施の形態は、互いに同期化されるこれらのパラメータの表示および記憶を行う。したがって、データ収集装置の各々は、他の装置のクロックに対してフリーランニングである独立のクロックを有するが、本発明は、マスタクロックに対して各データ収集装置からのデータの各サンプルのタイムスタンプを行う。本実施の形態では、これは、約１／１８秒の分解能を有するラップトップコンピュータのマスタクロックである。
【００２４】
本実施の形態で使用されるマスタクロックは、十分正確であるが、特にＥＣＧトレースの時間スケールに比べてかなり低い分解能を有する。さらに、本実施の形態は、バッチでのデータ処理を可能にするように設計されている。これを達成するために、装置から入ってくるデータは２つのクラスに分けられる。第１のクラスは、マスタクロックの分解能の１／１０よりも小さい周波数で到達し、実際には不規則な間隔で到達してもよい低速度データである。第２のクラスは、より高い周波数で到達する高速度データである。より高い周波数データは、通常一定の速度で発生する。
【００２５】
本実施の形態では、血圧測定または体温測定のような低速度で到達するデータは、マスタクロックからのサンプルでタイムスタンプされる。換言すると、データの各サンプルは、データのタイムスタンプの時間でマスタクロックの値に関連している。
【００２６】
高速度データは異なって処理される。受信された第１のサンプル（または第１のバッチの適切なサンプル）は、マスタクロックからタイムスタンプを与えられる。この生理的データを供給するデータ収集装置からのサンプル間の予想時間間隔は、データ収集装置の仕様に基づいて推定される。したがって、全く単純に、サンプリング速度が２５６ＨｚであるＥＣＧの場合、推定間隔は１／２５６秒である。次に、第１のサンプルに続くデータの次のサンプルは、前のサンプルのためのタイムスタンプに予想時間間隔を加えることで得られた推定タイムスタンプを与えられる。
【００２７】
一定の間隔（例えば、マスタクロックの分解能の低倍数、一般的には５〜５０）でマスタクロックからはずれる推定タイムスタンプを可能にするために、サンプルに与えられたタイムスタンプは、マスタクロックの現値と比較される。バッチ処理において、これは、バッチによって最大の精度をもたらすためにそのバッチの最後の値で行われる。
【００２８】
サンプルに与えられるタイムスタンプおよびマスタクロックが、ぴったりと一致している、すなわちマスタクロックの分解能の低倍数内にある場合、このプロセスは持続する。しかしながら、この一致が不十分である場合、２つの手順が実行される。すなわち、
ａ）このサンプルのタイムスタンプは、マスタクロックからの現値に修正され、十分長い隣接セットの前（例えば、１秒等をカバーする）のサンプルは、それらサンプルが、現サンプルに与えられる新しいタイムスタンプまで等間隔となるように、そのタイムスタンプが調整される。
ｂ）さらに、タイムスタンプの推定で使用される時間間隔の値が修正される。よって、データ収集装置の仕様から計算される値を使用するよりもむしろ、この値はマスタクロックからのより低いはずれを得ようと試みるために修正される。この修正は、例えば、予想時間間隔の精度がタイミングエラーが発生したとみなされるのにかかる時間の長さに関連するカルマンフィルタサイクルを使用して、クロックの精度および推定時間間隔の精度に従って重み付けされることができる。しかしながら、調整は異なる方法で行ってもよい。
【００２９】
よって、データ収集装置からの入ってくるデータは、ソフトウェアで同期化され、これは、単一のマスタクロックを使用して異なるデータ収集装置を駆動する必要性を避ける。
【００３０】
同期データは、本実施の形態では、９６時間の連続して同期された患者データを可能にするハードディスクまたは１ギガバイトのＰＣＭＣＩＡディスクに記憶されるか、または遠隔の記憶装置に伝送されてもよい。さらに、データの同期によって、異なるデータ収集装置からの信号は、時間軸に対して整列された単一のディスプレイ１に表示できる。ディスプレイの例は、図２および図３に示される。
【００３１】
本実施の形態では、このデータは、２つの異なるモード、すなわち５秒のデータがグラフィカルに表示される「Ｂｅａｔ　ｔｏ　Ｂｅａｔ」モード（図２を参照）、および５時間のデータが表示される「トレンド」モードで表示されてもよい。ユーザは、２つのモード間を選択的に切り換えることができ、受信されたデータの全てがタイムスタンプされて記憶されるので、ユーザは、トレンドモードからＢｅａｔ　ｔｏ　Ｂｅａｔモードの対応する時間ポイントに切り換えることによって重要な事象にズームインできる。
【００３２】
さらに、本実施の形態では、表示は、右側に追加された新しいデータに対して時間軸に沿ってスクロールされる。これは、１つのトレースが例えば左から右に発生して表示されて、次にこのトレースが、古いトレースに上書きされる新しいデータによって左から右に再びリフレッシュされるといった臨床データの典型的な表示と対照的である。
【００３３】
Ｂｅａｔ　ｔｏ　Ｂｅａｔモードを示す図２をより詳細に参照すると、ＥＣＧの３つのチャネルが酸素飽和トレース２４および呼吸トレース２５とともにトレース２１、２２および２３として表示されることが分かる。その５つのトレースは、５秒のデータを示す時間軸上に重ねて垂直方向に並べられる。さらに、重要な生命徴候は、ディスプレイの右側に数を表す方法で示され、これらは、心拍数、血圧、酸素飽和および体温である。
【００３４】
このＢｅａｔ　ｔｏ　Ｂｅａｔモード表示は、図３のより長い時間スケールのトレンド表示と比較できる。図３では、トレース３１、３２、３３および３４は、５時間のデータを示している。この時間スケールは、１分から１日までカバーするデータを表示できるように、要求に応じて変えることができる。トレース３１は、毎分の鼓動の心拍数を示し、トレース３２は、水銀ミリメートルの血圧を示し（収縮期の血圧および拡張期の血圧が重ねて表示されるが、これらは２０分等毎に表示されるだけである）、トレース３３は、酸素飽和を示し、トレース３４は体温を示している。
【００３５】
表示は「トレンド」モードであるが、それにもかかわらずＥＣＧトレース３５の単一チャネルがより速い時間スケール（すなわち時間軸にわたる５秒のデータ）で示されることにも注目すべきである。これは、患者の現在の状態の適切な監視を可能にする。呼吸は、３６でトレースとしても表示できる。Ｂｅａｔ　ｔｏ　Ｂｅａｔモード表示と同様に、重要なパラメータの数値はディスプレイの右側に示される。
【００３６】
本システムは、同じタイムスタンプ原理を使用して異なる種類のデータ収集装置からの異なる生理的パラメータを取得するように構成できるということが理解される。
【図面の簡単な説明】
【図１】
本発明の実施の形態による取得・ディスプレイ装置を示す図である。
【図２】
図１の実施の形態の「Ｂｅａｔ　ｔｏ　Ｂｅａｔ」表示モードの例を示す図である。
【図３】
図１の実施の形態の「トレンド」表示モードの例を示す図である。
【符号の説明】
２１，３５　心拍数
２２，３１　血圧
２３，３２　酸素飽和
２４，３３　体温
２５，３４　呼吸
【図１】
2004503317.tif 000003
【図２】
2004503317.tif 000004
【図３】
2004503317.tif 000005
【国際公開パンフレット】
2004503317.tif 000006
2004503317.tif 000007
2004503317.tif 000008
2004503317.tif 000009
2004503317.tif 000010
2004503317.tif 000011
2004503317.tif 000012
2004503317.tif 000013
2004503317.tif 000014
2004503317.tif 000015
2004503317.tif 000016
2004503317.tif 000017
2004503317.tif 000018
2004503317.tif 000019
2004503317.tif 000020
2004503317.tif 000021
2004503317.tif 000022
2004503317.tif 000023
2004503317.tif 000024
2004503317.tif 000025
2004503317.tif 000026
【国際公開パンフレット（コレクトバージョン）】
2004503317.tif 000027
2004503317.tif 000028
【国際公開パンフレット（コレクトバージョン）】
2004503317.tif 000029
2004503317.tif 000030
2004503317.tif 000031
2004503317.tif 000032
2004503317.tif 000033
2004503317.tif 000034
2004503317.tif 000035
2004503317.tif 000036
2004503317.tif 000037
2004503317.tif 000038
2004503317.tif 000039
2004503317.tif 000040
2004503317.tif 000041
2004503317.tif 000042
2004503317.tif 000043
2004503317.tif 000044
2004503317.tif 000045
2004503317.tif 000046
2004503317.tif 000047
2004503317.tif 000048
2004503317.tif 000049
【国際公開パンフレット（コレクトバージョン）】
2004503317.tif 000050
2004503317.tif 000051
【国際調査報告】
2004503317.tif 000052
2004503317.tif 000053
2004503317.tif 000054